(57)【特許請求の範囲】
【請求項１】
商用電源に接続された第１の直流電源回路と、この第１の直流電源回路より電流を供給される第２の直流電源回路と、前記商用電源の停電を検出し前記第２の直流電源回路の出力を遮断する停電検知手段と、前記第１の直流電源回路の出力に並列に接続し１次電池と抵抗と充電阻止ダイオードの直列接続からなる第１のバックアップ手段と、前記第１の直流電源回路に並列に接続し定格電圧が前記第１のバックアップ手段の１次電池より高い２次電池と抵抗と充電阻止ダイオードの直列接続からなる第２のバックアップ手段と、前記第２の直流電源回路の出力電流で前記第２のバックアップ手段の２次電池を充電する充電回路と、前記第１の直流電源回路により電源電流を供給されるマイコンと、このマイコンに接続され前記第１のバックアップ手段の出力電圧値と同じ電圧で動作する液晶表示素子と、この液晶表示素子の駆動に必要な分圧電圧を発生する分圧回路と、前記第１のバックアップ手段の１次電池の出力電圧を逆流を阻止しつつ分圧回路に供給するように接続したダイオードと、前記第２の直流電源回路の出力電圧を一定電圧まで降圧しさらに逆流阻止のダイオードを介して分圧回路に供給する定電圧回路とを備え、前記商用電源が供給されている場合の前記定電圧回路の出力電圧は、１次電池の電圧から分圧回路との間に接続されたダイオードの順方向電圧降下分を差し引いたものより、高くなるよう構成され、液晶表示素子の駆動電流は、マイコンの動作電流が2次電池より供給されている場合においても、1次電池より供給されていることを特徴とするバックアップ回路。
【請求項２】
第２のバックアップ手段における２次電池は、電解コンデンサや電気２重層コンデンサ等のコンデンサで構成した請求項１記載のバックアップ回路。
【請求項３】
停電検知手段が商用電源の停電を検知したとき、液晶表示素子のフレーム周波数を低下させるフレーム周波数変更手段を有する請求項１または２記載のバックアップ回路。
【発明の詳細な説明】
【技術分野】
【０００１】
本発明は、液晶表示素子を有する機器を商用電源遮断時にバックアップするバックアップ回路に関するものである。
【背景技術】
【０００２】
従来、この種のバックアップ回路は図３に示すように構成していた（例えば、特許文献１参照）。以下、その構成について説明する。
【０００３】
図３に示すように、主電源回路３１ａは、商用電源３２ａに接続され、主電源３１ａから、マイコン４６ａのＶｄｄ端子４７ｂに電源電流を供給している。このＶｄｄ端子４７ｂへの電源線は、抵抗４１ａ、抵抗４２ａ、抵抗４２ｂ、抵抗４２ｃ、抵抗４４ａにより構成された液晶表示素子（以下、ＬＣＤという）１１ａの電源回路を形成している。
【０００４】
主電源回路３１ａのＶｄｄ端子４７ｂへの電源線には、平滑用電解コンデンサ４０ａと、バックアップ用電池回路である１次電池３６ａ、ダイオード３７ａ、抵抗３８ａの直列接続が接続されている。ゼロクロス回路４５ａは、商用電源３２ａを監視し、ゼロクロス信号をマイコン４６ａに出力するものである。
【０００５】
上記構成においてバックアップ時の動作を説明する。商用電源３２ａが切断されると、主電源回路３１ａは、マイコン４６ａへ電源電流を供給することができなくなり、Ｖｄｄ端子４７ｂの電圧は平滑用電解コンデンサ４０ａの放電に伴い、低下する。
【０００６】
その電圧が、（１次電池３６ａの電圧−ダイオード３７ａＶｆ）以下になると、今度は１次電池３６ａより電流が供給される。これがバックアップ状態である。
【特許文献１】特許第３５２０２８０号公報
【発明の開示】
【発明が解決しようとする課題】
【０００７】
しかしながら、このような従来の構成では、商用電源３２ａが切断された直後より、すべてのバックアップ電流が１次電池３６ａより供給されることになり、１次電池３６ａの消耗が激しいという問題があった。
【０００８】
また、平滑用電解コンデンサ４０ａの容量を大きくしたり、電気２重層コンデンサに変える方法もあるが、その出力電圧は放電に従いバックアップ開始時より徐々に低下し、ＬＣＤ１１ａの表示の濃度が徐々に変わったり、クロストークが出てしまうなど、見苦しくなってしまうという問題があった。
【０００９】
本発明は上記従来の課題を解決するもので、バックアップ用１次電池の寿命を延命するとともに、バックアップ時の液晶表示素子表示の濃さを商用電源接続時と略同じにすることを目的としている。
【課題を解決するための手段】
【００１０】
本発明は上記目的を達成するために、商用電源に接続された第１の直流電源回路より電流を供給される第２の直流電源回路に電流を供給し、停電検知手段により商用電源の停電を検出し第２の直流電源回路の出力を遮断し、第１の直流電源回路の出力に並列に１次電池と抵抗と充電阻止ダイオードの直列接続からなる第１のバックアップ手段を接続するとともに、第１の直流電源回路に並列に定格電圧が前記第１のバックアップ手段の１次電池より高い２次電池と抵抗と充電阻止ダイオードの直列接続からなる第２のバックアップ手
段を接続し、充電回路により第２の直流電源回路の出力電流で第２のバックアップ手段の２次電池を充電し、第１の直流電源回路により電源電流を供給されるマイコンに第１のバックアップ手段の出力電圧値と同じ電圧で動作する液晶表示素子を接続し、この液晶表示素子の駆動に必要な分圧電圧を分圧回路により発生し、第１のバックアップ手段の１次電池の出力電圧を逆流を阻止しつつ分圧回路に供給するようにダイオードを接続し、定電圧回路により第２の直流電源回路の出力電圧を一定電圧まで降圧しさらに逆流阻止のダイオードを介して分圧回路に供給するよう構成し、商用電源が供給されている場合の定電圧回路の出力電圧は、１次電池の電圧から分圧回路との間に接続されたダイオードの順方向電圧降下分を差し引いたものより、高くなるよう構成され、液晶表示素子の駆動電流は、マイコンの動作電流が2次電池より供給されている場合においても、1次電池より供給されているものである。
【００１１】
これにより、バックアップ開始後より２次電池の電圧が放電により１次電池の電圧以下になるまでは、２次電池よりマイコンや周辺回路にバックアップ電流を供給するとともに、液晶表示素子の電源のみはバックアップ監視直後より電圧が安定した１次電池よりバックアップ電流を供給することで、バックアップ用１次電池の寿命を延命することができるとともに、バックアップ時のＬＣＤ表示の濃さを商用電源接続時と略同じにすることができる。
【発明の効果】
【００１２】
本発明のバックアップ回路は、バックアップ開始後より２次電池の電圧が放電により１次電池の電圧以下になるまでは、２次電池よりマイコンや周辺回路にバックアップ電流を供給するとともに、液晶表示素子の電源のみはバックアップ監視直後より電圧が安定した１次電池よりバックアップ電流を供給することで、バックアップ用１次電池の寿命を延命することができるとともに、バックアップ時のＬＣＤ表示の濃さを商用電源接続時と略同じにすることができる。
【発明を実施するための最良の形態】
【００１３】
第１の発明は、商用電源に接続された第１の直流電源回路と、この第１の直流電源回路より電流を供給される第２の直流電源回路と、前記商用電源の停電を検出し前記第２の直流電源回路の出力を遮断する停電検知手段と、前記第１の直流電源回路の出力に並列に接続し１次電池と抵抗と充電阻止ダイオードの直列接続からなる第１のバックアップ手段と、前記第１の直流電源回路に並列に接続し定格電圧が前記第１のバックアップ手段の１次電池より高い２次電池と、抵抗と充電阻止ダイオードの直列接続からなる第２のバックアップ手段と、前記第２の直流電源回路の出力電流で前記第２のバックアップ手段の２次電池を充電する充電回路と、前記第１の直流電源回路により電源電流を供給されるマイコンと、このマイコンに接続され前記第１のバックアップ手段の出力電圧値と同じ電圧で動作する液晶表示素子と、この液晶表示素子の駆動に必要な分圧電圧を発生する分圧回路と、前記第１のバックアップ手段の１次電池の出力電圧を逆流を阻止しつつ分圧回路に供給するように接続したダイオードと、前記第２の直流電源回路の出力電圧を一定電圧まで降圧しさらに逆流阻止のダイオードを介して分圧回路に供給する定電圧回路とを備え、前記商用電源が供給されている場合の前記定電圧回路の出力電圧は、１次電池の電圧から分圧回路との間に接続されたダイオードの順方向電圧降下分を差し引いたものより、高くなるよう構成され、液晶表示素子の駆動電流は、マイコンの動作電流が2次電池より供給されている場合においても、1次電池より供給されているものであり、１次電池の他に２次電池を搭載し、バックアップ開始後より２次電池の電圧が放電により１次電池の電圧以下になるまでは、２次電池よりマイコンや周辺回路にバックアップ電流を供給するとともに、液晶表示素子の電源のみはバックアップ監視直後より電圧が安定した１次電池よりバックアップ電流を供給することで、バックアップ用１次電池の寿命を延命することができるとともに、バックアップ時のＬＣＤ表示の濃さを商用電源接続時と略同じにすることができる
。
【００１４】
第２の発明は、上記第１の発明において、第２のバックアップ手段における２次電池は、電解コンデンサや電気２重層コンデンサ等のコンデンサで構成したものであり、商用電源が遮断され、バックアップ動作が始まった直後では、電界コンデンサや電気２重層コンデンサの電圧の方が１次電池の電圧より大きく、バックアップ電流は、電界コンデンサや電気２重層コンデンサより供給され、バックアップ動作開始後、時間が経過して電界コンデンサや電気２重層コンデンサの電荷が放出されるとバックアップ電流は、１次電池より供給されるようにできる。
【００１５】
第３の発明は、上記第１または第２の発明において、停電検知手段が商用電源の停電を検知したとき、液晶表示素子のフレーム周波数を低下させるフレーム周波数変更手段を有するものであり、停電検知手段が停電と判断したとき、液晶表示素子のフレーム周波数を低下させることで、液晶表示素子は、その特性上、フレーム周波数を低下させると、消費電流が低下するため、バックアップ中に１次電池より供給される電流を低減することができ、液晶表示素子の表示の濃さを商用電源接続時とバックアップ時で同じにしつつ、１次電池の消耗を抑えることができる。
【００１６】
以下、本発明の一実施の形態について、図面を参照しながら説明する。なお、この実施の形態によって本発明が限定されるものではない。
【００１７】
（実施の形態）
図１は、本発明の一実施の形態におけるバックアップ回路の回路図を示すものである。
【００１８】
図１に示すように、第１の直流電源回路１は、商用電源１１からダイオード１２、抵抗１３を介して、電解コンデンサ１４を充電する。スイッチング電源ＩＣ１５は、コイル１６の共振を利用して２０Ｖ程度の直流電圧を出力する。電解コンデンサ１７は、スイッチング電源ＩＣ１５の出力平滑用の電解コンデンサである。
【００１９】
トランジスタ１９は、スイッチング電源ＩＣ１５の出力の２０Ｖをシリーズレギュレータ方式にて５Ｖ（Ｖｄｄ２１）まで降圧するトランジスタで、その出力である５Ｖは、抵抗１８、定電圧ダイオード２０、トランジスタ２２のベースエミッタ間の直列接続における、（定電圧ダイオード２０の両端電圧＋トランジスタ２２のベースエミッタ間電圧）より、トランジスタ１９のベースエミッタ間電圧を引いたものである。ここでは、定電圧ダイオード２０の両端電圧は５Ｖ、トランジスタ２２のベースエミッタ間電圧は０．６Ｖ、トランジスタ１９のベースエミッタ間電圧は０．６Ｖであり、Ｖｄｄ２１の電圧は、５Ｖ＋０．６Ｖ−０．６Ｖ＝５Ｖが実現されている。
【００２０】
第２の直流電源回路２は、第１の直流電源回路１より電流を供給され、商用電源１１の停電時にこの第２の直流電源回路２の出力を遮断する停電検知手段の一部を兼ね備えたものである。第２の直流電源回路２において、トランジスタ２２のコレクタエミッタ間は、抵抗２３、抵抗２４の直列接続に接続されている。トランジスタ２５は、そのベースを抵抗２３と抵抗２４の接続点に接続し、Ｖｄｄ２１が５Ｖに達すると、抵抗２４の両端電圧が、０．６Ｖを超過し、コレクタエミッタ間が導通する。抵抗２６は、トランジスタ２２のベースエミッタ間の電圧を安定させるための抵抗である。
【００２１】
Ｖｄｄが、５Ｖに満たないときは、抵抗２４の両端電圧は、０．６Ｖに達せず、トランジスタ２５のコレクタエミッタ間は、導通しない。抵抗２４の抵抗値は、トランジスタ２５を充分にオーバードライブできる数値に設定されている。このため、コレクタエミッタ間が導通したときは、そのコレクタエミッタ間電圧は、せいぜい０．１Ｖ程度となる。よ
って、商用電源１１接続時の、トランジスタ２５のコレクタ電圧は、Ｖｄｄ２１とほぼ同じ、５Ｖである。
【００２２】
商用電源１１が接続されているときは、上記のようであるが、一方、商用電源１１が接続されていないときは、スイッチング電源ＩＣ１５は、出力が０Ｖで、トランジスタ１９が導通せず、出力が０Ｖであるとともに、定電圧ダイオード２０や抵抗２０に電流が流れず、トランジスタ２２が導通せず、よって、トランジスタ２５も導通しない。よって、トランジスタ２５のコレクタ電圧は０Ｖである。
【００２３】
第１のバックアップ手段３は、第１の直流電源回路１の出力に並列に接続し、一次電池３３の充電防止ダイオード３１と、抵抗３２と、１次電池３３の直列接続で構成している。以降、１次電池３３の電圧をＶｂａｔ３５と称する。電圧降下防止のため、ここでは、ダイオード３１は、ショットキバリヤ型を使用している。３４は、そのＶｆ値である。本実施の形態におけるその値は、０．１５Ｖとなる。
【００２４】
Ｖｄｄ２１の電圧が１次電池３３の電圧Ｖｂａｔ３５から、充電防止ダイオード３１の順方向電圧降下Ｖｆ３４を引いたものより小さいとき、１次電池電池３３より充電防止ダイオード３１を介して、Ｖｄｄ２１へバックアップ電流を供給する。
【００２５】
第２のバックアップ手段４は、２次電池の充電防止ダイオード４１と、抵抗４２と、２次電池を構成する電気２重層コンデンサ４３の直列接続で構成している。以降、電気２重層コンデンサ４３の電圧を、Ｖｃ４５と称する。電圧降下防止のため、ここでも、ダイオード４１は、ショットキバリヤ型を使用している。４４は、そのＶｆ値である。本実施の形態におけるその値は、０．１５Ｖとなる。
【００２６】
Ｖｄｄ２１の電圧が、電気２重層コンデンサ４３の電圧Ｖｃ４５から、充電防止ダイオード４１の順方向電圧降下Ｖｆ４４を引いたものより小さいとき、電気２重層コンデンサ４３より、充電防止ダイオード４１を介して、Ｖｄｄ２１へバックアップ電流を供給する。
【００２７】
ここで、本実施の形態では、電気２重層コンデンサ４３の定格電圧は、１次電池３３の定格電圧より高い電圧に設定している。
【００２８】
これにより、商用電源１１が遮断され、バックアップ動作が始まった直後では、電気２重層コンデンサ４３の電圧Ｖｃ４５の方が１次電池３３の電圧Ｖｂａｔ３５より電圧値が大きく、バックアップ電流は、電気２重層コンデンサ４３より供給される。バックアップ動作開始後、時間が経過し、電気２重層コンデンサ４３の電荷がＶｄｄ２１に放出され、電気２重層コンデンサ４３の電圧Ｖｃ４５が低下し、（電気２重層コンデンサ４３の電圧Ｖｃ４５−ダイオード４１のＶｆ４４）が、（１次電池３３の電圧Ｖｂａｔ３５−ダイオード３１のＶｆ３４）を下回るようになると、今度はバックアップ電流は、１次電池３３より供給されるようになる。
【００２９】
充電回路５は、第２の直流電源回路２の出力電流で第２のバックアップ手段４の２次電池を充電するもので、トランジスタ２５のコレクタより電流を供給され、電気２重層コンデンサ４３を充電し、逆流を阻止するように接続したダイオード５１により構成している。
【００３０】
マイコン６は、第１の直流電源回路１により電源電流を供給され、このマイコン６に各種状態を表示するＬＣＤ７を接続し、ＬＣＤ７の駆動電圧は、第１のバックアップ手段３の出力電圧値と同じ電圧、すなわち１次電池３３の定格電圧値と同じ電圧のものを使用し
ている。本実施の形態では、１次電池３３にリチウム電池を使用しており、その定格電圧が３Ｖであるので、ＬＣＤ７も３Ｖ仕様のものを使用している。
【００３１】
分圧回路８は、ＬＣＤ７の駆動に必要な分圧電圧を発生するもので、抵抗８１、抵抗８２、抵抗８３の直列接続により構成し、各抵抗の接続点および直列接続の両端電圧が、マイコン６のポートに接続されている。以降、分圧回路８の入力電圧をＶｌｃｄ８４と称する。
【００３２】
ダイオード９は、第１のバックアップ手段３の１次電池３３から分圧回路８へ電流を供給し、かつ、電流の逆流による１次電池３３の充電を阻止するダイオードである。ここでは、電圧降下低減のため、ショットキバリヤ型を使用し、そのＶｆは０．１５Ｖである。
【００３３】
定電圧回路１００は、第２の直流電源回路２の出力電圧を一定電圧まで降圧しさらに逆流阻止のダイオード１０３を介して分圧回路８に供給するもので、トランジスタ２５のコレクタ電流より、抵抗１０１と定電圧ダイオード１０２の直列接続にて定電圧を作り出し、それを逆流阻止ダイオード１０３を介して、分圧回路８に供給するようにしている。この定電圧回路１００の出力電圧は、１次電池３３の電圧Ｖｂａｔ３５から分圧回路８との間に接続されたダイオード９の順方向電圧降下Ｖｆ９１分を差し引いたものより高く設定されている。本実施の形態においては、３．２Ｖに設定されている。
【００３４】
これにより、商用電源１１が接続され、第２の直流電源回路２のトランジスタ２５より電流が供給されているときには、分圧回路８にはこの定電圧回路８より、電流が供給され、１次電池３３からは電流は供給されない。
【００３５】
水晶振動回路１１０は、水晶振動子１１１とコンデンサ１１２、コンデンサ１１３より構成している。この水晶振動回路１１１によって作り出されるクロック信号は、マイコン６のメインクロックとして使用されるとともに、分周回路１２０により発振を分周され、ＬＣＤ７のフレーム周波数を作り出す。
【００３６】
停電検知手段１３０は、停電検知の一部を構成し、マイコン６内に存在する。第２の直流電源回路２内に存在する停電検知手段であるトランジスタ２５のコレクタ電圧を検出し、０Ｖであるときに停電と判断する。便宜上、以下、この１３０を、停電検知手段と称する。トランジスタ２５のコレクタ電圧が０Ｖとなるのは、商用電源１１が接続されておらず、スイッチング電源ＩＣ１５が停止し、定電圧ダイオード２０に電流が流れないときである。
【００３７】
フレーム周波数変更手段１４０は、ＬＣＤ７のフレーム周波数を低下させるもので、停電検知手段１３０が停電と判断したとき、分周回路１２０の分周比を上げ、ＬＣＤ７のフレーム周波数を低下させる。ＬＣＤは、一般的に、その特性上、フレーム周波数を低下させると、消費電流が低下するため、バックアップ中に１次電池３３より分圧回路８に供給される電流を低減することができる。なお、１５０は、キー入力手段、１６０は、マイコン６に接続された各種負荷である。
【００３８】
上記構成において図２を参照しながら動作、作用を説明する。商用電源１１が接続された状態では、スイッチング電源ＩＣ１５は、２０Ｖの直流電圧を出力する。このスイッチング電源ＩＣ１５より出力された２０Ｖの直流電圧は、トランジスタ１９によりＶｄｄ２１（５Ｖ）まで降圧される。このＶｄｄ２１（５Ｖ）は、マイコン６やキー入力手段１５０、各種負荷１６０の電源となる。
【００３９】
第１の直流電源回路１が、Ｖｄｄ２１（５Ｖ）を出力しているとき、トランジスタ２２
は導通し、そのコレクタ電流により第２の直流電源回路２のトランジスタ２５も導通し、定電圧回路１００に電流が供給される。定電圧回路１００より分圧回路８へ電源電流が供給され、ＬＣＤ７の表示が行われる。
【００４０】
また、トランジスタ２５のコレクタより、充電回路５（ここでは逆流防止用ダイオード５１）と、第２のバックアップ手段４の抵抗４２を介して、電気２重層コンデンサ４３が充電される。電気２重層コンデンサ４３は、商用電源１１の接続後、数１０分程度で完全に充電され、上記のように、トランジスタ２５がオーバードライブされていて、Ｖｃｅ間の電圧が０．１Ｖ程度ということもあり、その電圧はＶｄｄ２１とほぼ同じ５Ｖ程度になる。
【００４１】
分圧回路８へは、トランジスタ２５のコレクタより定電圧回路１００を介して電流が供給され、その電圧Ｖｌｃｄ８４は、（Ｖｂａｔ３５電圧３Ｖ−Ｖｆ９１電圧０．１５Ｖ）である２．８５Ｖより、高い電圧である、３．２Ｖになるように、設定されているため、ＬＣＤ７の電源である分圧回路８の電源電流は、１次電池３３からではなく、Ｖｄｄ２１よりトランジスタ２５、定電圧回路１００を介して、供給される。
【００４２】
つぎに、この状態で商用電源１１がオフされた状態について説明する。商用電源１１が時刻ｔでオフすると、第１の直流電源回路１のスイッチング電源ＩＣ１５がオフし、２０Ｖの出力が停止する。すると、トランジスタ１９のベース電流が流れなくなり、トランジスタ１９もオフし、定電圧ダイオード２０に電流が流れなくなり、トランジスタ２２がオフし、トランジスタ２２によりベース電流が供給される第２の直流電源回路２のトランジスタ２５もオフする。
【００４３】
このとき、第２のバックアップ手段４の電気２重層コンデンサ４３は、上述のように、５Ｖ近い電圧まで充電されており、抵抗４２とダイオード４１を介して、Ｖｄｄ２１に電流を供給する。この電流を電源電流として、マイコン６やキー入力手段１５０、各種負荷１６０は動作する。このときの電圧は、電流が少なく、抵抗４２の両端電圧は無視できるので、（電気２重層コンデンサ４３の両端電圧Ｖｃ４５−ダイオードＶｆ４４）となる。
【００４４】
一方、ＬＣＤ７の電源回路である分圧回路８への電流供給であるが、トランジスタ２５がオフしたことにより、トランジスタ２５から定電圧回路１００を介した電流の供給は遮断され、１次電池３３よりダイオード９を介して電流が供給される。このときの電圧は、（１次電池３３の電圧Ｖｂａｔ８４である３Ｖ−ダイオード９のＶｆ９１である０．１５Ｖ）の２．８５Ｖである。
【００４５】
トランジスタ２５がオフし、そのコレクタ電圧が０Ｖとなると、マイコン６内の停電検知手段１３０が停電と判断し、フレーム周波数変更手段１４０が分周回路１２０の分周比を上げて、ＬＣＤ７のフレーム周波数を低下させる。ＬＣＤは、フレーム周波数を下げることにより、その消費電流を低下させることができるとともに、表示濃度を向上させることができる。
【００４６】
バックアップ時のＬＣＤ７の見え方は、バックアップ時のＬＣＤ電源電圧Ｖｌｃｄが２．８５Ｖであり、商用電源１１接続時の３．２Ｖと大差がないことと、フレーム周波数の低下により、表示濃度が濃くなることにより、商用電源１１接続時と同等である。
【００４７】
上記状態は、（電気２重層コンデンサ４３の電圧Ｖｃ４５−ダイオード４１のＶｆ４４）が、（１次電池３３の電圧Ｖｂａｔ３５−ダイオード３１のＶｆ３４）を下回るまで続く。図２においては、電気２重層コンデンサによるバックアップ区間Ｔ１である。
【００４８】
（電気２重層コンデンサ４３の電圧Ｖｃ４５−ダイオード４１のＶｆ４４）が、（１次電池３３の電圧Ｖｂａｔ３５−ダイオード３１のＶｆ３４）を下回ると、Ｖｄｄ２１のバックアップ電流も１次電池３１より供給されるようになる。図２における、１次電池によるバックアップ区間Ｔ２である。
【００４９】
このときのＶｄｄ２１の電圧は、電流が少なく、抵抗３２の両端電圧は無視できるので、（１次電池３３の両端電圧Ｖｂａｔ３５である３Ｖ−ダイオードＶｆ３４である０．１５Ｖ）の２．８５Ｖとなる。
【００５０】
ＬＣＤ７の電源電流は、すでに、電気２重層コンデンサ４３によるバックアップ区間においても１次電池３３より供給されており、それはこの１次電池３３によるバックアップ区間においても変わらない。
【００５１】
１次電池３３の電圧Ｖｂａｔは、その寿命末期まで比較的安定した値をとる。このため、バックアップ中のＬＣＤ７の表示の濃さは、１次電池３３の寿命末期まで殆ど変わらない。
【００５２】
以上のように、本実施の形態においては、（電気２重層コンデンサ４３の電圧Ｖｃ４５−ダイオード４１のＶｆ４４）が、（１次電池３３の電圧Ｖｂａｔ３５−ダイオード３１のＶｆ３４）を上回っている間は、マイコン６やキー入力手段１５０、各種負荷１６０へのバックアップ電流は、第２のバックアップ手段４の、電気２重層コンデンサ４３より供給され、１次電池３３の電流消費を節約するとともに、ＬＣＤ７に対しては、１次電池３３より安定して３Ｖ近傍の電源電流を供給することと、バックアップ時にはＬＣＤ７のフレーム周波数を低下させることにより、ＬＣＤ７の表示の濃さの商用電源１１接続時とバックアップ時における差をなくすることができる。
【００５３】
また、第２のバックアップ手段４における２次電池は、電気２重層コンデンサ４３で構成したので、商用電源１１が遮断され、バックアップ動作が始まった直後では、電気２重層コンデンサ４３の電圧の方が１次電池３３の電圧より大きく、バックアップ電流は、電気２重層コンデンサ４３より供給され、バックアップ動作開始後、時間が経過して電気２重層コンデンサ４３の電荷が放出されとバックアップ電流は、１次電池３３より供給されるようにできる。
【００５４】
なお、本実施の形態では、２次電池を電気２重層コンデンサ４３で構成しているが、電界コンデンサで構成してもよく、同様の作用、効果を得ることができる。
【産業上の利用可能性】
【００５５】
以上のように、本発明にかかるバックアップ回路は、バックアップ開始後より２次電池の電圧が放電により１次電池の電圧以下になるまでは、２次電池よりマイコンや周辺回路にバックアップ電流を供給するとともに、液晶表示素子の電源のみはバックアップ監視直後より電圧が安定した１次電池よりバックアップ電流を供給することで、バックアップ用１次電池の寿命を延命することができるとともに、バックアップ時のＬＣＤ表示の濃さを商用電源接続時と略同じにすることができるので、液晶表示素子を有する機器を商用電源遮断時にバックアップするバックアップ回路として有用である。
【図面の簡単な説明】
【００５６】
【図１】本発明の一実施の形態におけるバックアップ回路の一部ブロック化した回路図
【図２】同バックアップ回路の各部電圧の変化を示すタイムチャート
【図３】従来のバックアップ回路の一部ブロック化した回路図
【符号の説明】
【００５７】
１  第１の直流電源回路
２  第２の直流電源回路
３  第１のバックアップ手段
４  第２のバックアップ手段
５  充電回路
６  マイコン
７  液晶表示素子
８  分圧回路
９  ダイオード
１１  商用電源
３１  充電阻止ダイオード
３２  抵抗
３３  １次電池
４１  充電阻止ダイオード
４２  抵抗
４３  電気２重層コンデンサ（２次電池）
１００  定電圧回路
１３０  停電検知手段
【図１】
0004626487.tif 000002
【図２】
0004626487.tif 000003
【図３】
0004626487.tif 000004